(57)【要約】【課題】ＧＰＳ機能の無いカメラと共にＧＰＳロガーを使用して写真データに位置情報を記録する場合、ＧＰＳロガーは一定時間ごとに位置情報を記録しているので、カメラの写真データのタイムスタンプとＧＰＳロガーのタイムスタンプが一致しない場合がある。このため写真データに正確な撮影位置が記録できない場合があった。【解決手段】ＧＰＳ（Ｇｌｏｂａｌ  Ｐｏｓｉｔｉｏｎｉｎｇ  Ｓｙｓｔｅｍ）ロガーであって、位置情報を受信するＧＰＳ受信部と、時刻計測部と、記録部と、前記ＧＰＳロガーに接続されるカメラのシャッターを動作させる起動手段と、前記起動手段の動作時におけるＧＰＳ位置情報と時刻を取得し前記ＧＰＳ位置情報と前記時刻を関連付けて前記記録部に保存する制御部を備えることを特徴とする。【選択図】      図１
2014154996.tif 000002
【特許請求の範囲】
【請求項１】
ＧＰＳ（Ｇｌｏｂａｌ  Ｐｏｓｉｔｉｏｎｉｎｇ  Ｓｙｓｔｅｍ）ロガーであって、位置情報を受信するＧＰＳ受信部と、時刻計測部と、記録部と、前記ＧＰＳロガーに接続されるカメラのシャッターを動作させる起動手段と、前記起動手段の動作時におけるＧＰＳ位置情報と時刻を取得し前記ＧＰＳ位置情報と前記時刻を関連付けて前記記録部に保存する制御部を備えることを特徴とするＧＰＳロガー。
【請求項２】
カメラへ情報を送信するための第１のインターフェース（Ｉ／Ｆ）と、前記記録部に保存された情報を所定の電子機器へ送信するための第２のインターフェース（Ｉ／Ｆ）とを備えることを特徴とする請求項１に記載のＧＰＳロガー。
【請求項３】
前記カメラが向いている方向を測定する電子コンパス、温度計、および高度計のうちの１以上を備え、前記制御部は当該ＧＰＳロガーに具備される前記電子コンパス、前記温度計、および前記高度計のうち１以上から得られる情報を前記ＧＰＳ位置情報と前記時刻に関連付けて前記記録部に保存することを特徴とする請求項１または２に記載のＧＰＳロガー。
【請求項４】
カメラ取り付け部を備えることを特徴とする請求項１から３のいずれかに記載のＧＰＳロガー。
【請求項５】
調整可能な一定時間間隔でＧＰＳ位置情報を取得し記録する機能を備え、前記制御部は外部からの操作により前記機能を動作させまたは動作停止とすることが可能であることを特徴とする請求項１から４のいずれかに記載のＧＰＳロガー。
【発明の詳細な説明】
【技術分野】
【０００１】
本発明は、ＧＰＳロガーに関し、他の電子機器と共に使用するロガーであって、特にカメラと接続し撮影と連動して位置情報を記録するＧＰＳロガーに関する。
【背景技術】
【０００２】
ＧＰＳ（Ｇｌｏｂａｌ  Ｐｏｓｉｔｉｏｎｉｎｇ  Ｓｙｓｔｅｍ）機能の無いカメラを使用し、ＧＰＳ位置情報を写真データに記録したい場合、別にＧＰＳロガーを使わなければならない。上記カメラで撮影を行う使用者は、同時にＧＰＳロガーを動作させ、定期的にＧＰＳの位置情報をＧＰＳロガー内に記録させる。撮影終了後、使用者はパソコン等にカメラの写真データとＧＰＳログデータを取り込み、カメラの写真データのタイムスタンプとＧＰＳログのタイムスタンプを照合し、写真データと記録時間の近いＧＰＳ位置情報を写真データに追記する作業を行う必要がある。
【０００３】
一方、撮影画像データと受信したＧＰＳ情報とを関連付けて記録メディアに記録する技術が特許文献１（特開２００６−０８６９２７号公報）に開示されている。ここでは、近距離無線通信Ｉ／Ｆ（インターフェース）を備えたデジタルカメラとハンディＧＰＳを使って、デジタルカメラが、撮影画像データにハンディＧＰＳから取得した位置情報を関連付けて、記録メディアに記録している。
【０００４】
その他、ＧＰＳ受信機の特徴を利用した電子機器に関する公報は、特許文献２（特開２００８−２５２２１２号公報）、特許文献３（特開２０１１−１７２１９３号公報）、特許文献４（特開２００６−３１４０６６号公報）、特許文献５（特開２００４−１５３４２８号公報）に開示されている。
【先行技術文献】
【特許文献】
【０００５】
【特許文献１】特開２００６−０８６９２７号公報
【特許文献２】特開２００８−２５２２１２号公報
【特許文献３】特開２０１１−１７２１９３号公報
【特許文献４】特開２００６−３１４０６６号公報
【特許文献５】特開２００４−１５３４２８号公報
【発明の概要】
【発明が解決しようとする課題】
【０００６】
ＧＰＳロガーは一定時間ごとに位置情報を記録しているので、通常はカメラの撮影時刻とＧＰＳロガーが位置情報を取得するタイミングは一致しない。すなわち写真データのタイムスタンプとＧＰＳロガーのタイムスタンプが一致しない。このタイムスタンプが一致しないので、写真データにこの写真が撮影された正確な位置の情報を記録することができない。特にカメラの使用者が高速で移動しているときに撮影が行われると、一定時間ごとにＧＰＳロガーに記録される位置同士の間隔が大きくなるので、写真に正確な位置を記録することがさらに困難になる。
【０００７】
また、位置情報を記録する時間間隔を短く設定してＧＰＳロガーを動作させると、写真に記録される位置情報の正確度は高まるが、電力消費量が増大するのでバッテリが長持ちしない。また不要な位置情報を記録することになるので大容量のメモリを必要とする。
【０００８】
本発明の目的は、この課題を解決したＧＰＳロガーを提供することにある。
【課題を解決するための手段】
【０００９】
本発明は、ＧＰＳ（Ｇｌｏｂａｌ  Ｐｏｓｉｔｉｏｎｉｎｇ  Ｓｙｓｔｅｍ）ロガーであって、位置情報を受信するＧＰＳ受信部と、時刻計測部と、記録部と、前記ＧＰＳロガーに接続されるカメラのシャッターを動作させる起動手段と、前記起動手段の動作時におけるＧＰＳ位置情報と時刻を取得し前記ＧＰＳ位置情報と前記時刻を関連付けて前記記録部に保存する制御部を備えることを特徴とする。
【発明の効果】
【００１０】
本発明のＧＰＳロガーは、接続するカメラの起動手段を備え、この起動手段を起動させるとカメラによる撮影と位置の取得が同時に実行できるので、撮影した画像にその位置情報を正確に記録することができる。
【図面の簡単な説明】
【００１１】
【図１】本発明の第１の実施形態におけるＧＰＳロガーの構成例を示すブロック図である。
【図２】本発明の第１の実施形態におけるＧＰＳロガーとパソコンとの接続例を示すブロック図である。
【図３】本発明の第２の実施形態におけるＧＰＳロガーの構成例を示すブロック図である。
【図４】本発明の第３の実施形態におけるＧＰＳロガーの構成例を示すブロック図である。
【図５】本発明の第４の実施形態におけるＧＰＳロガーの構成例を示すブロック図である。
【発明を実施するための形態】
【００１２】
以下、本発明の実施形態について図面を参照して詳細に説明する。
（第１の実施形態）
図１は、本発明の第１の実施形態におけるＧＰＳロガーの構成例を示すブロック図である。
【００１３】
図１に示すように、第１の実施形態におけるＧＰＳロガー１０１は、位置情報を受信するＧＰＳ受信部１０２と、時刻計測部１０３と、記録部１０４と、カメラのシャッターを動作させる起動手段１０５と、カメラと接続する第１のＩ／Ｆ（インターフェース）１０６と、起動手段が起動したとき、時刻計測部から取得した時刻とＧＰＳ受信機から取得した位置情報とを関連付けて記録部に保存する制御部１０７とを備えている。
【００１４】
起動手段１０５は、カメラのシャッターを切るときに使用するレリーズボタンを有しており、制御部１０７に接続している。制御部１０７は、時刻計測部１０３とＧＰＳ受信部１０２と第１のＩ／Ｆ１０６と接続し、時刻計測部１０３からタイムスタンプとＧＰＳ受信部１０２から位置情報を取得し記録部１０４に記録する。制御部１０７は起動手段１０５からの信号を第１のＩ／Ｆ１０６へ出力している。タイムスタンプは、ある記録された情報の日時などを示している。
【００１５】
第１のＩ／Ｆ１０６とカメラ１５１は、レリーズケーブル１５２にて接続される。レリーズケーブル１５２は、シャッターをカメラから離れた場所から操作するために使用するケーブルである。一般的なカメラは、標準で外部接続用にレリーズケーブル用コネクタを装備している。
【００１６】
制御部１０７は外部からの操作によってＧＰＳ受信部１０２が一定時間ごとに位置情報を取得する動作を停止させ、起動手段の動作時のみ位置情報とその時刻情報を記録することができる。
【００１７】
次に、本実施形態の動作の説明をする。
【００１８】
ＧＰＳロガーでは、制御部１０７がＧＰＳ受信部１０２から位置情報を取得し、定期的に位置情報を含んだＧＰＳログのデータを記録部１０４に保存している。
【００１９】
ＧＰＳロガーは、ＧＰＳログのデータを保存する間隔を変更することができるので、間隔を長くとるとＧＰＳログのデータ量は少なくなり、間隔を短くとるとＧＰＳログのデータ量は多くなる。
【００２０】
使用者は、ＧＰＳロガーの時刻計測部１０３の時刻とカメラ１５１の時計の時刻を合わせる。次に、ＧＰＳロガー１０１とカメラ１５１をレリーズケーブル１５２にて接続する。
【００２１】
使用者がＧＰＳロガーにあるレリーズボタンを押すと、制御部１０７は第１のＩ／Ｆ１０６とレリーズケーブル１５２を経由してカメラ１５１に信号を送られる。この信号を受信したカメラ１５１はシャッターを動作させ、写真を撮影する。
【００２２】
制御部１０７は、レリーズボタンが押されて起動手段が起動すると、時刻計測部１０３から取得した時間とＧＰＳ受信部１０２から取得した位置情報とを関連付けて、記録部１０４に保存する。
【００２３】
次に、使用者は、カメラが撮影した写真データと、ＧＰＳロガーが保存した位置情報を照合し、写真データにＧＰＳロガーの位置情報を追記する作業を行う。
【００２４】
図２は、本発明の第１の実施形態におけるＧＰＳロガーとパソコンとの接続例を示すブロック図である。
【００２５】
図２に示すように、第２のＩ／Ｆ２０１とパソコン２０２は、ＵＳＢケーブル２０３にて接続される。使用者は、制御部１０７を操作して時刻と位置情報を関連付けたデータを記録部１０４からパソコン２０２へ送信する。図示していないが、カメラ１５１とパソコンを接続し、パソコン２０２に撮影した写真データも送信する。使用者はパソコン上で、時刻と位置情報とを関連付けたデータと写真データを照合し、両データの時刻情報が一致する写真データに位置情報を追記する。
【００２６】
以上説明したように、本発明のＧＰＳロガーは、起動手段が起動したとき、すなわちカメラのシャッターが起動したとき、その時刻と位置情報を保存することができる。特に高速移動中に撮影が行われた場合でも、撮影された画像にその正確な位置情報が記録できる。
【００２７】
更に、起動手段が起動したとき位置情報を記録し、かつ定期的なＧＰＳ位置情報の保存を行わないことも可能なので、記録部の記録容量が少なくてすむ。同時に、ＧＰＳロガーの消費電力も減るので、ＧＰＳロガーのバッテリの使用時間を長くする、あるいはバッテリを小容量にしてＧＰＳロガーを小型にすることができる。
（第２の実施形態）
図３は、本発明の第２の実施形態におけるＧＰＳロガーの構成例を示すブロック図である。
【００２８】
図３に示すように、本発明の第２の実施形態におけるＧＰＳロガー３０１の構成は、第１の実施形態のＧＰＳロガーの構成に、カメラの向けた方向を測定する電子コンパス３０２が追加されている。制御部１０７は起動手段１０５が起動したとき、時刻と位置情報とカメラの方向の情報とを関連付け記録する。更に、図示していないがＧＰＳロガーにカメラに固定する取り付け部を備えている。ＧＰＳロガーをカメラに取り付けられるので、電子コンパスの方向とカメラの方向が一致する。第１の実施形態と同一の構成要素には同一参照数字を付記してその説明を省略する。
【００２９】
以上説明したように、本発明のＧＰＳロガーは、起動手段が起動したとき、すなわちカメラによる撮影が行われたとき、その時刻と位置情報とカメラの方向の情報を保存することができる。
（第３の実施形態）
図４は、本発明の第３の実施形態におけるＧＰＳロガーの構成例を示すブロック図である。
【００３０】
図４に示すように、本発明の第３の実施形態におけるＧＰＳロガー４０１の構成は、第１の実施形態のＧＰＳロガーの構成に、カメラの向けた方向を測定する電子コンパス３０２とカメラ周辺の温度を測定する温度計４０２が追加されている。制御部１０７は起動手段１０５が起動したとき、時刻と位置情報とカメラの方向の情報とカメラ周辺の温度情報とを関連付け記録する。第１の実施形態と同一の構成要素には同一参照数字を付記してその説明を省略する。
【００３１】
以上説明したように、本発明のＧＰＳロガーは、起動手段が起動したとき、すなわちカメラによる撮影が行われたとき、その時刻と位置情報とカメラの方向の情報とカメラ周辺の温度情報を保存することができる。
（第４の実施形態）
図５は、本発明の第４の実施形態におけるＧＰＳロガーの構成例を示すブロック図である。
【００３２】
図５に示すように、本発明の第４の実施形態におけるＧＰＳロガー５０１の構成は、第１の実施形態のＧＰＳロガーの構成に、カメラの向けた方向を測定する電子コンパス３０２とカメラ周辺の温度を測定する温度計４０２とカメラの高度を測定する高度計５０２が追加されている。制御部１０７は起動手段１０５が起動したとき、時刻と位置情報とカメラの方向の情報とカメラ周辺の温度情報とカメラの高度情報とを関連付け記録する。第１の実施形態と同一の構成要素には同一参照数字を付記してその説明を省略する。
【００３３】
以上説明したように、本発明のＧＰＳロガーは、起動手段が起動したとき、すなわちカメラによる撮影が行われたとき、その時刻と位置情報とカメラの方向の情報とカメラ周辺の温度情報とカメラの高度情報を保存することができる。
【００３４】
尚、本願発明は、上述の実施形態に限定されるものではなく、本願発明の要旨を逸脱しない範囲で種々変更、変形して実施することが出来る。
【符号の説明】
【００３５】
１０１、３０１、４０１、５０１    ＧＰＳロガー
１０２    ＧＰＳ受信部
１０３    時刻計測部
１０４    記録部
１０５    起動手段
１０６    第１のＩ／Ｆ
１０７    制御部
１５１    カメラ
１５２    レリーズケーブル
２０１    第２のＩ／Ｆ
２０２    パソコン
２０３    ＵＳＢケーブル
３０２    電子コンパス
４０２    温度計
５０２    高度計
【図１】
2014154996.tif 000003
【図２】
2014154996.tif 000004
【図３】
2014154996.tif 000005
【図４】
2014154996.tif 000006
【図５】
2014154996.tif 000007